(57)【要約】【課題】受信した地上波テレビ放送の周波数を変換して出力する周波数変換装置の提供。【解決手段】周波数変換装置は、地上波用チューナ５とマイコン７と不揮発性メモリ９と周波数変換部６とを具備する。地上波テレビ放送の地上電波を地上波用チューナ５で受信する。マイコン７が地上波用チューナ５で受信した地上波テレビ放送の地上電波信号からチャンネル配置の情報を取得し、取得したチャンネル配置の情報をチャンネル配置データとして不揮発性メモリ９に格納し、不揮発性メモリ９に格納したチャンネル配置の情報を地上波用チューナ５で現在受信している地上波テレビ放送のチャンネル配置の内容と比較する。周波数変換部６が受信した地上波テレビ放送の周波数を任意の周波数に変換して出力する。【選択図】        図１
2004282202.tif 000002
【特許請求の範囲】
【請求項１】
地上波テレビ放送を受信し、受信した前記地上波テレビ放送の周波数を任意の周波数に変換し、変換した前記任意の周波数を前記地上波テレビ放送のテレビ信号として出力する周波数変換装置であって、
前記地上波テレビ放送の地上電波を受信する地上電波受信手段と、前記地上波テレビ放送のチャンネル配置を再設定する制御を行なう制御手段と、前記地上波テレビ放送のチャンネル配置の情報を格納する記憶手段と、前記地上電波受信手段で受信した前記地上波テレビ放送の周波数を任意の周波数に変換する周波数変換手段とを具備し、前記制御手段は、前記地上電波受信手段で受信した前記地上波テレビ放送の地上電波信号からチャンネル配置の情報を取得する機能と、取得した前記チャンネル配置の情報をチャンネル配置データとして前記記憶手段に格納する機能と、前記記憶手段に格納してある前記チャンネル配置の情報を前記地上電波受信手段で現在受信している前記地上波テレビ放送のチャンネル配置の内容と比較して解析する機能とを備え、前記周波数変換手段は、前記制御手段で解析した前記チャンネル配置の情報の解析結果に基づいて前記地上波テレビ放送の周波数の変換を行なう機能を備えたことを特徴とする周波数変換装置。
【請求項２】
さらに、人工衛星からの衛星テレビ放送の衛星電波を受信する衛星電波受信手段を具備し、上記制御手段は、前記衛星電波受信手段で受信した前記衛星テレビ放送の衛星電波信号からチャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している上記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項３】
さらに、上記地上波テレビ放送の周波数を変更するチャンネル配置の情報を記録した記録メディアを装着する記録メディア装着手段を具備し、上記制御手段は、前記記録メディアからチャンネル配置の情報を取り出す機能と、取り出した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項４】
さらに、上記地上波テレビ放送の周波数を変更するチャンネル配置の情報を入力するための情報入力手段を具備し、上記制御手段は、前記情報入力手段から入力された前記チャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項５】
さらに、上記地上波テレビ放送の周波数を変更するチャンネル配置の情報を入力するためのリモコン手段からのリモコン信号を受光可能なリモコン受光手段を具備し、上記制御手段は、前記リモコン手段から入力された前記チャンネル配置の情報を前記リモコン受光手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項６】
さらに、上記地上波テレビ放送の周波数を変更するチャンネル配置の情報を入力するためのコンピュータと有線で接続可能な有線接続手段を具備し、上記制御手段は、前記コンピュータから入力された前記チャンネル配置の情報を前記有線接続手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項７】
さらに、上記コンピュータと無線で接続可能な無線通信手段を具備し、上記制御手段は、前記コンピュータから入力された前記チャンネル配置の情報を前記無線通信手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している上記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【請求項８】
さらに、通信回線との上記地上波テレビ放送の周波数を変更するチャンネル配置の情報のデータ通信を行なうデータ通信手段を具備し、上記制御手段は、前記通信回線から前記データ通信手段を介して前記チャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段は、前記制御手段で解析した前記チャンネル配置の情報の解析結果に基づいて前記地上波テレビ放送の周波数の変換を行なう機能を備えている請求項１に記載の周波数変換装置。
【発明の詳細な説明】
【０００１】
【発明の属する技術分野】
本発明は、受信した地上波テレビ放送の周波数を任意の周波数に変換し、変換した任意の周波数を再度地上波テレビ放送のテレビ信号として出力を行なう周波数変換装置に関するものである。
【０００２】
【従来の技術】
テレビ放送は、アナログ放送からデジタル放送に移行しようとしている。
地上波テレビ放送においても、近年中にアナログ放送からデジタル放送に移行する予定となっている。
地上波テレビ放送がアナログ放送からデジタル放送に移行する場合、地域によっては、現在視聴しているアナログ放送の周波数帯にデジタル放送の周波数帯が割り当てられることが考えられている。
この時、テレビ受信機側では、再度チャンネルの設定を行なう必要がある。
【０００３】
また、特許文献１に開示されるように、リモコンにチャンネルプランを記憶させ、リモコンを用いてテレビ受信機にチャンネルプランの情報（内容）を送信することにより、テレビ受信機のチャンネル情報を変更させる方法が考えられている。
【０００４】
さらに、特許文献２に開示されるように、設定済みのチャンネルが受信できなくなったら自動的にチャンネルスキャンし、放送局を見つける方法も考えられている。
【０００５】
【特許文献１】
特開２００２−３００４８６号公報
【特許文献２】
特開２００１−１４８８１０号公報
【０００６】
【発明が解決しようとする課題】
ところが、地上波テレビ放送のデジタル化に伴いチャンネル配置の変更を余儀なくされる地域が存在し、その地域においては、今までのテレビ受信機で地上波テレビ放送を受信できるように、テレビ受信機のチャンネル配置の再設定が必要となる。
この際、テレビ受信機のチャンネル配置の設定については、使用者がテレビ受信機のチャンネル配置の直接設定を行なうか、電機製品の販売店や電機メーカのサービス要員が各戸へ訪問してテレビ受信機のチャンネル配置の再設定を行なうことが考えられているが、それには費用と時間がかかるという問題がある。
【０００７】
また、特許文献１や特許文献２においては、新しいチャンネル配置に対応するためのテレビ受信機について提案されているが、あらかじめテレビ受信機側にチャンネル設定のための仕組みを組み込んでおく必要がある。
しかも、テレビ受信機単体でチャンネル変更が可能であるが、その他の従来のテレビ放送に対応したＶＴＲ（Ｖｉｄｅｏ  Ｔａｐｅ  Ｒｅｃｏｒｄｅｒ）などのＡＶ（Ａｕｄｉｏ  Ｖｉｓｕａｌ）機器については、チャンネル変更が考慮されておらず、対応できないという課題がある。
【０００８】
本発明は、上述した従来技術の問題点を解決して、地上波テレビ放送のデジタル化に伴いチャンネル配置の変更を行なう場合に、外部よりチャンネル配置の情報を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換し、変換した任意の周波数を再度地上波テレビ放送のテレビ信号として出力することが可能な周波数変換装置を提供することを目的とする。
【０００９】
【課題を解決するための手段】
本発明は、こうした課題を解決するための周波数変換装置を提供するもので、各請求項の発明は、以下の技術手段を構成する。
この課題を解決するために、第１の本発明の周波数変換装置は、地上波テレビ放送を受信し、受信した前記地上波テレビ放送の周波数を任意の周波数に変換し、変換した前記任意の周波数を前記地上波テレビ放送のテレビ信号として出力する周波数変換装置であって、前記地上波テレビ放送の地上電波を受信する地上電波受信手段と、前記地上波テレビ放送のチャンネル配置を再設定する制御を行なう制御手段と、前記地上波テレビ放送のチャンネル配置の情報を格納する記憶手段と、前記地上電波受信手段で受信した前記地上波テレビ放送の周波数を任意の周波数に変換する周波数変換手段とを具備し、前記制御手段が、前記地上電波受信手段で受信した前記地上波テレビ放送の地上電波信号からチャンネル配置の情報を取得する機能と、取得した前記チャンネル配置の情報をチャンネル配置データとして前記記憶手段に格納する機能と、前記記憶手段に格納してある前記チャンネル配置の情報を前記地上電波受信手段で現在受信している前記地上波テレビ放送のチャンネル配置の内容と比較して解析する機能とを備え、前記周波数変換手段が、前記制御手段で解析した前記チャンネル配置の情報の解析結果に基づいて前記地上波テレビ放送の周波数の変換を行なう機能を備えたことを特徴とする構成を有するものである。
【００１０】
第１の本発明の周波数変換装置によれば、今までと異なったチャンネル配置で地上波テレビ放送が開始されたとしても、地上波テレビ放送の地上電波信号からチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、本発明の周波数変換装置に接続された従来のテレビ受信機については、今までどおりに使用することができる。
【００１１】
この課題を解決するために、第２の本発明の周波数変換装置は、さらに、人工衛星からの衛星テレビ放送の衛星電波を受信する衛星電波受信手段を具備し、上記制御手段が、前記衛星電波受信手段で受信した前記衛星テレビ放送の衛星電波信号からチャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している上記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００１２】
第２の本発明の周波数変換装置によれば、衛星テレビ放送の衛星電波信号からチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００１３】
この課題を解決するために、第３の本発明の周波数変換装置は、さらに、上記地上波テレビ放送の周波数を変更するチャンネル配置の情報を記録した記録メディアを装着する記録メディア装着手段を具備し、上記制御手段が、前記記録メディアからチャンネル配置の情報を取り出す機能と、取り出した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００１４】
第３の本発明の周波数変換装置によれば、チャンネル配置の情報を記録した記録メディア（メモリカード）を記録メディア装着手段（メモリカード用インタフェース部）に装着し、記録メディアに記録されているチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００１５】
この課題を解決するために、第４の本発明の周波数変換装置は、さらに、上記地上波テレビ放送の周波数を変更するチャンネル配置の情報を入力するための情報入力手段を具備し、上記制御手段が、前記情報入力手段から入力された前記チャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００１６】
第４の本発明の周波数変換装置によれば、使用者（視聴者）がチャンネル配置の情報を情報入力手段（操作部）にて直接入力し、情報入力手段から入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００１７】
この課題を解決するために、第５の本発明の周波数変換装置は、さらに、上記地上波テレビ放送の周波数を変更するチャンネル配置の情報を入力するためのリモコン手段からのリモコン信号を受光可能なリモコン受光手段を具備し、上記制御手段が、前記リモコン手段から入力された前記チャンネル配置の情報を前記リモコン受光手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００１８】
第５の本発明の周波数変換装置によれば、使用者（視聴者）がチャンネル配置の情報をリモコン手段（リモコン送信機）を用いてリモコン受光手段（リモコン受光部）に入力し、リモコン手段からリモコン受光手段を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００１９】
この課題を解決するために、第６の本発明の周波数変換装置は、さらに、上記地上波テレビ放送の周波数を変更するチャンネル配置の情報を入力するためのコンピュータと有線で接続可能な有線接続手段を具備し、上記制御手段が、前記コンピュータから入力された前記チャンネル配置の情報を前記有線接続手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００２０】
第６の本発明の周波数変換装置によれば、有線接続手段（コンピュータ接続用インタフェース部）がコンピュータと有線（ケーブル）にて接続され、コンピュータから有線接続手段を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００２１】
この課題を解決するために、第７の本発明の周波数変換装置は、さらに、上記コンピュータと無線で接続可能な無線通信手段を具備し、上記制御手段が、前記コンピュータから入力された前記チャンネル配置の情報を前記無線通信手段を介して入手する機能と、入手した前記チャンネル配置の情報をチャンネル配置データとして上記記憶手段に格納する機能と、前記記憶手段に格納してある前記チャンネル配置の情報を上記地上電波受信手段で現在受信している上記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００２２】
第７の本発明の周波数変換装置によれば、無線通信手段（無線アンテナ）がコンピュータと無線にて接続され、コンピュータから無線通信手段を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００２３】
この課題を解決するために、第８の本発明の周波数変換装置は、さらに、通信回線との上記地上波テレビ放送の周波数を変更するチャンネル配置の情報のデータ通信を行なうデータ通信手段を具備し、上記制御手段が、前記通信回線から前記データ通信手段を介して前記チャンネル配置の情報を取得する機能と、取得した前記チャンネル配置の情報をチャンネル配置データとして上記記憶手段に格納する機能と、前記記憶手段に格納してある前記チャンネル配置の情報を上記地上電波受信手段で現在受信している前記地上波テレビ放送のチャンネル配置の内容と比較して解析する機能とを備え、上記周波数変換手段が、前記制御手段で解析した前記チャンネル配置の情報の解析結果に基づいて前記地上波テレビ放送の周波数の変換を行なう機能を備えている。
【００２４】
第８の本発明の周波数変換装置によれば、データ通信手段（モデム部）が外部と通信回線（電話回線）で接続され、通信回線からデータ通信手段を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
以上、各発明の各構成要素は、可能な限り互いに組み合わせて用いることができるものである。
【００２５】
【発明の実施の形態】
以下、本発明の実施形態について図面を参照しながら詳細に説明する。
図１は、本発明に係る一実施形態の周波数変換装置の基本構成を示すブロック図である。
本発明の周波数変換装置は、地上波テレビ放送を受信し、受信した地上波テレビ放送の周波数を任意の周波数に変換し、変換した任意の周波数を地上波テレビ放送のテレビ信号として出力する装置である。
【００２６】
本発明の実施の形態１の周波数変換装置は、地上波テレビ放送の地上電波を受信する地上電波受信手段となる地上波用チューナ５と、地上波テレビ放送のチャンネル配置を再設定する制御を行なう制御手段となるマイコン７と、地上波テレビ放送のチャンネル配置の情報を格納する記憶手段となる不揮発性メモリ９と、地上波用チューナ５で受信した地上波テレビ放送の周波数を任意の周波数に変換する周波数変換手段となる周波数変換部６とを具備し、マイコン７が、地上波用チューナ５で受信した地上波テレビ放送の地上電波信号からチャンネル配置の情報を取得する機能と、取得したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００２７】
図１において、１は衛星テレビ放送を受信する衛星放送用アンテナ、２は衛星放送用アンテナ１で受けた衛星テレビ放送の衛星電波を受信する衛星放送用チューナ、３は衛星放送用チューナ２で受信した衛星テレビ放送の内容を解析するＭＰＥＧ（Ｍｏｖｉｎｇ  Ｐｉｃｔｕｒｅ  Ｅｘｐｅｒｔｓ  Ｇｒｏｕｐ）デコーダ、４は地上波テレビ放送を受信する地上波用アンテナ、５は地上波用アンテナ４で受けた地上波テレビ放送の地上電波を受信する地上波用チューナ、６は地上波用チューナ５で受信した地上波テレビ放送の周波数を任意の周波数に変換する周波数変換部、７は周波数変換装置全体を制御するマイコン、８はマイコン７を動作させるためのプログラムを格納したメモリ、９は取得した地上波テレビ放送のチャンネル配置の情報をチャンネル配置データとして格納しておくための不揮発性メモリ、１０は地上波テレビ放送の周波数を変更するためのチャンネル配置の情報を記録したメモリカード、１１はメモリカード１０を装着するためのメモリカード用インタフェース部、１２は周波数変換装置を操作する操作部、１３はリモコン信号を送信するリモコン送信機、１４はリモコン送信機１３からのリモコン信号を受光するリモコン受光部、１５は周波数変換装置と有線または無線にて接続されるコンピュータ、１６はコンピュータ１５との有線接続用のコンピュータ接続用インタフェース部、１７は周波数変換装置との有線接続用の周波数変換装置接続用インタフェース部、１８はコンピュータ１５の無線アンテナ、１９は周波数変換装置の無線アンテナ、２０は電話回線２２との接続用のモジュラジャック、２１は地上波テレビ放送の周波数を変更するためのチャンネル配置の情報を変復調するモデム部である。
【００２８】
周波数変換装置は、図１に示すように、衛星放送用チューナ２、ＭＰＥＧデコーダ３、地上波用チューナ５、周波数変換部６、マイコン７、メモリ８、不揮発性メモリ９、メモリカード用インタフェース部１１、操作部１２、リモコン受光部１４、コンピュータ接続用インタフェース部１６、無線アンテナ１９、モジュラジャック２０、及びモデム部２１を備えている。
【００２９】
周波数変換装置のコンピュータ接続用インタフェース部１６とコンピュータ１５の周波数変換装置接続用インタフェース部１７とは、図１に示すように、ケーブル２３で接続されている。
【００３０】
本発明の実施の形態１における周波数変換装置は、各種制御をマイコン７で行なっている。
まず、地上波テレビ放送を地上波用アンテナ４で受信し、地上波用アンテナ４で受けた地上波テレビ放送の地上電波を地上波用チューナ５で受信し、地上波用チューナ５で受信した地上波テレビ放送の地上電波に含まれるチャンネル配置の情報をマイコン７に伝達する。
【００３１】
地上波テレビ放送の地上電波に各種の情報を重畳させることは、既に文字放送などで実現されており、放送局からのチャンネル配置の情報を抽出してマイコン７に送る。
【００３２】
マイコン７では、地上波用チューナ５から送られてきたチャンネル配置の情報を基に、時間と今受信している地上波テレビ放送の周波数のチャンネル配置を解析する。
【００３３】
また、マイコン７では、地上波用チューナ５から送られてきたチャンネル配置の情報を解析し、何時から現在受信している地上波テレビ放送のチャンネル配置がどのようにチャンネル配置に移動するかを判断する。
その結果を、周波数変換部６に伝達する。
この時解析した結果は、チャンネル配置の情報をチャンネル配置データとして不揮発性メモリ９に記憶される。
【００３４】
周波数変換部６では、マイコン７からの指示に従い、今受信した地上波テレビ放送の周波数のチャンネル配置の変換を行ない、その結果を外部に出力する。
【００３５】
図２は、本発明に係る周波数変換装置におけるマイコン制御を示すフローチャートである。
以下、チャンネル配置の再設定に関するマイコン７の動作について、図２を用いて説明する。
まず、地上波用チューナ５からのチャンネル配置の情報入力が行なわれると（ステップＳ１０１）、現在のチャンネル配置の解析を行なう（ステップＳ１０２）。
【００３６】
次いで、不揮発性メモリ９から前回解析したチャンネル配置の情報を呼び出す（ステップＳ１０３）。
【００３７】
次いで、前回のチャンネル配置と現在のチャンネル配置との比較を行い（ステップＳ１０４）、前回のチャンネル配置と現在のチャンネル配置とが同じであれば（ステップＳ１０４“Ｙｅｓ”）、現在のチャンネル配置の情報をチャンネル配置データとして不揮発性メモリ９に記録させる（ステップＳ１０５）。
【００３８】
次いで、周波数変換部６に対して、現在の入力情報をそのまま出力するように指示を行ない、現在のチャンネル配置の情報を周波数変換部６に出力する（ステップＳ１０６）。
【００３９】
また、前回のチャンネル配置と現在のチャンネル配置との比較で異なる判断を行なった場合（ステップＳ１０４“Ｎｏ”）、前回のチャンネル配置の情報を周波数変換部６に出力する（ステップＳ１０７）。
【００４０】
次に、周波数変換部６について説明を行なう。
周波数変換部６は、地上波用アンテナ４からの入力信号をマイコン７からの指示により周波数を変換して外部に出力する機能を備えている。
周波数変換部６は、地上波用アンテナ４から入力した信号に対して、マイコン７から何もしないという指示が来た場合、周波数をそのまま出力する。
【００４１】
また、周波数変換部６は、マイコン７からチャンネル配置の情報が来た場合、それに従い周波数を移動させて出力する。
【００４２】
マイコン７から周波数変換部６に送られてくるチャンネル配置の情報は、現行のチャンネルが今、２９，２７，２５，２３，２１，１９，１７とし、周波数が変更され、該当するチャンネルが順に、４１，４３，４５，４７，４９，５１，５３とする。
【００４３】
この時、マイコン７は、チャンネル４１をチャンネル２９に変換し、チャンネル４３をチャンネル２７に変換し、チャンネル４５をチャンネル２５に変換し、チャンネル４７をチャンネル２３に変換し、チャンネル４９をチャンネル２１に変換し、チャンネル５１をチャンネル１９に変換し、チャンネル５３をチャンネル１７に変換するように指示を行なう。
【００４４】
周波数変換部６では、このチャンネル配置の情報に基づき周波数を任意の周波数に変換し、変換した任意の周波数を再度テレビ信号として外部に出力する。
【００４５】
次に、本発明の実施の形態１における周波数変換装置の地上波テレビ放送の周波数の変換を行なう動作について説明する。
まず、地上波テレビ放送を地上波用アンテナ４で受信し、地上波用アンテナ４で受けた地上波テレビ放送の地上電波を地上波用チューナ５で受信し、地上波用チューナ５で受信した地上波テレビ放送の地上電波に含まれるチャンネル配置の情報をマイコン７に伝達する。
【００４６】
マイコン７では、地上波用チューナ５で受信した地上波テレビ放送の地上電波信号からチャンネル配置の情報を取得し、取得したチャンネル配置の情報をチャンネル配置データとして不揮発性メモリ９に格納させる。
【００４７】
また、マイコン７では、地上波用チューナ５で現在受信している地上波テレビ放送のチャンネル配置の内容と不揮発性メモリ９に格納してあるチャンネル配置の情報とを比較し、地上波用チューナ５で現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達し、チャンネル配置の情報に基づき周波数変換部６に受信した地上波テレビ放送の周波数を変換するように指示を与える。
【００４８】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機（図示せず）に出力する。
【００４９】
以上に説明したように、本発明の実施の形態１の周波数変換装置によれば、今までと異なったチャンネル配置で地上波テレビ放送が開始されたとしても、地上波テレビ放送からのチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、本発明の周波数変換装置に接続された従来のテレビ受信機については、今までどおりに使用することができる。
【００５０】
次に、本発明の実施の形態２における周波数変換装置について説明する。
本発明の実施の形態２の周波数変換装置は、さらに、放送衛星（ＢＳ衛星）や通信衛星（ＣＳ衛星）などの人工衛星からの衛星テレビ放送の衛星電波を受信する衛星電波受信手段となる衛星放送用チューナ２を具備し、マイコン７が、衛星放送用チューナ２で受信した衛星テレビ放送の衛星電波信号からチャンネル配置の情報を取得する機能と、取得したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００５１】
次に、本発明の実施の形態２における周波数変換装置の地上波テレビ放送の周波数の変換を行なう動作について説明する。
まず、人工衛星からの衛星テレビ放送を衛星放送用アンテナ１で受信し、衛星放送用アンテナ１で受けた衛星テレビ放送の衛星電波を衛星放送用チューナ２で受信し、衛星放送用チューナ２で受信した衛星テレビ放送の内容をＭＰＥＧデコーダ３で解析する。
【００５２】
衛星テレビ放送の衛星電波に重畳された地上波テレビ放送の周波数を変更するチャンネル配置の情報を取得し、取得したチャンネル配置の情報をマイコン７に伝送する。
【００５３】
マイコン７では、衛星放送用チューナ２で受信した衛星テレビ放送の衛星電波信号からチャンネル配置の情報を取得し、取得したチャンネル配置の情報をチャンネル配置データとして不揮発性メモリ９に格納させる。
【００５４】
また、マイコン７では、地上波用チューナ５で現在受信している地上波テレビ放送のチャンネル配置の内容と不揮発性メモリ９に格納してあるチャンネル配置の情報とを比較し、地上波用チューナ５で現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達し、チャンネル配置の情報に基づき周波数変換部６に受信した地上波テレビ放送の周波数を変換するように指示を与える。
【００５５】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００５６】
以上に説明したように、本発明の実施の形態２の周波数変換装置によれば、衛星テレビ放送からのチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００５７】
次に、本発明の実施の形態３における周波数変換装置について説明する。
本発明の実施の形態３の周波数変換装置は、さらに、地上波テレビ放送の周波数を変更するチャンネル配置の情報を記録した記録メディアとなるメモリカード１０を装着するための記録メディア装着手段となるメモリカード用インタフェース部１１を具備し、マイコン７が、メモリカード１０からチャンネル配置の情報を取り出す機能と、取り出したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００５８】
次に、本発明の実施の形態３における周波数変換装置の地上波テレビ放送の周波数の変換を行なう動作について説明する。
まず、使用者はチャンネル配置の情報が入ったメモリカード１０を周波数変換装置に用意したメモリカード用インタフェース部１１に挿入する。
メモリカード１０には、現在のチャンネル配置の情報が格納されている。
【００５９】
マイコン７では、メモリカード１０からチャンネル配置の情報を取り出し、取り出したチャンネル配置の情報をチャンネル配置データとして不揮発性メモリ９に格納させる。
【００６０】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００６１】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００６２】
以上に説明したように、本発明の実施の形態３の周波数変換装置によれば、チャンネル配置の情報を記録したメモリカード１０をメモリカード用インタフェース部１１に装着し、メモリカード１０に記録されているチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００６３】
次に、本発明の実施の形態４における周波数変換装置について説明する。
本発明の実施の形態４の周波数変換装置は、さらに、地上波テレビ放送の周波数を変更するチャンネル配置の情報を入力するための情報入力手段となる操作部１２を具備し、マイコン７が、操作部１２から入力されたチャンネル配置の情報を取得する機能と、取得したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００６４】
次に、本発明の実施の形態４における周波数変換装置の地上波テレビ放送の周波数の変換を行なう動作について説明する。
まず、使用者がチャンネル配置の情報を操作部１２にて入力を行なう。
【００６５】
マイコン７では、操作部１２から入力されたチャンネル配置の情報を取得し、取得したチャンネル配置の情報をチャンネル配置データとして不揮発性メモリ９に格納させる。
【００６６】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００６７】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００６８】
以上に説明したように、本発明の実施の形態４の周波数変換装置によれば、使用者（視聴者）がチャンネル配置の情報を操作部１２にて直接入力し、操作部１２から入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００６９】
次に、本発明の実施の形態５における周波数変換装置について説明する。
本発明の実施の形態５の周波数変換装置は、さらに、地上波テレビ放送の周波数を変更するチャンネル配置の情報を入力するためのリモコン手段となるリモコン送信機１３からのリモコン信号を受光可能なリモコン受光手段となるリモコン受光部１４を具備し、マイコン７が、リモコン送信機１３から入力されたチャンネル配置の情報をリモコン受光部１４を介して入手する機能と、入手したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００７０】
次に、本発明の実施の形態５における周波数変換装置の地上波テレビ放送の周波数の変換を行なう動作について説明する。
まず、使用者がチャンネル配置の情報をリモコン送信機１３を用いて周波数変換装置のリモコン受光部１４に送信すると、周波数変換装置のリモコン受光部１４がリモコン送信機１３からのリモコン信号を受光し、リモコン送信機１３にてチャンネル配置の情報をリモコン受光部１４を介して入力を行う。
【００７１】
マイコン７では、リモコン送信機１３から入力されたチャンネル配置の情報をリモコン受光部１４を介して入手し、入手したチャンネル配置の情報をチャンネル配置データとして不揮発性メモリ９に格納させる。
【００７２】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００７３】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００７４】
以上に説明したように、本発明の実施の形態５の周波数変換装置によれば、使用者（視聴者）がチャンネル配置の情報をリモコン送信機１３を用いてリモコン受光部１４に入力し、リモコン送信機１３からリモコン受光部１４を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００７５】
次に、本発明の実施の形態６における周波数変換装置について説明する。
本発明の実施の形態６の周波数変換装置は、さらに、地上波テレビ放送の周波数を変更するチャンネル配置の情報を入力するためのコンピュータ１５と有線で接続可能な有線接続手段となるコンピュータ接続用インタフェース部１６を具備し、マイコン７が、コンピュータ１５から入力されたチャンネル配置の情報をコンピュータ接続用インタフェース部１６を介して入手する機能と、入手したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００７６】
次に、本発明の実施の形態６における周波数変換装置の地上波テレビ放送の周波数の変換を行なう動作について説明する。
まず、使用者がチャンネル配置の情報を外部のコンピュータ１５を用いて入力や入手を行ない、その結果を、コンピュータ１５に備えられた周波数変換装置接続用インタフェース部１７と周波数変換装置に備えられたコンピュータ接続用インタフェース部１６との間でケーブル２３を介してチャンネル配置の情報の有線通信を行なう。
この時のインタフェース部１６，１７については、汎用／専用は問わず、お互いにチャンネル配置の情報を有線通信することのできるプロトコルは持ち合わせている。
【００７７】
マイコン７では、コンピュータ１５から入力されたチャンネル配置の情報をコンピュータ接続用インタフェース部１６を介して入手し、入手したチャンネル配置の情報をチャンネル配置データとして不揮発性メモリ９に格納させる。
【００７８】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００７９】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００８０】
以上に説明したように、本発明の実施の形態６の周波数変換装置によれば、コンピュータ１５とケーブル２３にて有線接続され、コンピュータ１５からコンピュータ接続用インタフェース部１６を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００８１】
次に、本発明の実施の形態７における周波数変換装置について説明する。
本発明の実施の形態７の周波数変換装置は、さらに、コンピュータ１５と無線で接続可能な無線通信手段となる無線アンテナ１９を具備し、マイコン７が、コンピュータ１５から入力されたチャンネル配置の情報を無線アンテナ１９を介して入手する機能と、入手したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００８２】
次に、本発明の実施の形態７における周波数変換装置の地上波テレビ放送の周波数の変換を行なう動作について説明する。
まず、使用者がチャンネル配置の情報を外部のコンピュータ１５を用いて入力や入手を行ない、その結果を、コンピュータ１５に備えられた無線アンテナ１８と周波数変換装置に備えられた無線アンテナ１９との間でチャンネル配置の情報の無線通信を行なう。
周波数変換装置とコンピュータ１５とは、お互いに機器を特定し、お互いにチャンネル配置の情報を無線通信することのできるプロトコルは持ち合わせている。
【００８３】
マイコン７では、コンピュータ１５から入力されたチャンネル配置の情報を無線アンテナ１９を介して入手し、入手したチャンネル配置の情報をチャンネル配置データとして不揮発性メモリ９に格納させる。
【００８４】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００８５】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００８６】
以上に説明したように、本発明の実施の形態７の周波数変換装置によれば、コンピュータ１５と無線アンテナ１９にて無線接続され、コンピュータ１５から無線アンテナ１９を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００８７】
次に、本発明の実施の形態８における周波数変換装置について説明する。
本発明の実施の形態８の周波数変換装置は、さらに、通信回線である電話回線２２との地上波テレビ放送の周波数を変更するチャンネル配置の情報のデータ通信を行なうデータ通信手段となるモデム部２１を具備し、マイコン７が、電話回線２２からモデム部２１を介してチャンネル配置の情報を取得する機能と、取得したチャンネル配置の情報をチャンネル配置データとして不揮発性メモリ９に格納する機能と、不揮発性メモリ９に格納してあるチャンネル配置の情報を地上波用チューナ５で現在受信している地上波テレビ放送のチャンネル配置の内容と比較して解析する機能とを備え、周波数変換部６が、マイコン７で解析したチャンネル配置の情報の解析結果に基づいて地上波テレビ放送の周波数の変換を行なう機能を備えている。
【００８８】
次に、本発明の実施の形態８における周波数変換装置の地上波テレビ放送の周波数の変換を行なう動作について説明する。
まず、チャンネル配置の情報について電話回線２２を介して入手を行なう。
電話回線網と繋がる電話回線２２は、周波数変換装置のモジュラジャック２０に接続され、電話回線２２から入手したチャンネル配置の情報が周波数変換装置内のモデム部２１で変復調される。
【００８９】
マイコン７では、電話回線２２からモデム部２１を介してチャンネル配置の情報を取得し、取得したチャンネル配置の情報をチャンネル配置データとして不揮発性メモリ９に格納させる。
【００９０】
なお、電話回線２２の接続先は、同じ地区にある他の周波数変換装置や、地域毎にチャンネル配置を管理しているサービス会社などでもかまわない。
【００９１】
また、マイコン７では、地上波用チューナ５で現在受信している地上波テレビ放送のチャンネル配置の内容と不揮発性メモリ９に格納してあるチャンネル配置の情報とを比較し、現在受信している地上波テレビ放送のチャンネル配置の内容と不揮発性メモリ９に格納してあるチャンネル配置の情報とが異なっていれば、不揮発性メモリ９に格納されているチャンネル配置の情報を周波数変換部６に伝達する。
【００９２】
周波数変換部６では、このチャンネル配置の情報に基づいて地上波用チューナ５で受信した地上波テレビ放送の周波数を任意の周波数に変換し、変換した任意の周波数を地上波テレビ放送のテレビ信号としてテレビ受信機に出力する。
【００９３】
以上に説明したように、本発明の実施の形態８の周波数変換装置によれば、モデム部２１が外部と電話回線２２で接続され、電話回線２２からモデム部２１を介して入力されたチャンネル配置の情報を取得し、地上波テレビ放送のチャンネル配置を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換して出力することにより、地上波テレビ放送のチャンネル配置が変更になったとしても、本発明の周波数変換装置に接続された従来のテレビ受信機を今までどおりに使用することができる。
【００９４】
【発明の効果】
本発明によれば、地上波テレビ放送のデジタル化に伴いチャンネル配置の変更を行なう場合に、外部よりチャンネル配置の情報を取得し、取得したチャンネル配置の情報を現在受信している地上波テレビ放送のチャンネル配置の内容と比較し、チャンネル配置が変更になった場合、変更前のチャンネル配置になるように、受信した地上波テレビ放送の周波数を任意の周波数に変換し、変換した任意の周波数を再度地上波テレビ放送のテレビ信号として出力することが可能な周波数変換装置を得ることができる。
【００９５】
また、本発明の周波数変換装置を従来の地上波アンテナと従来のテレビ受信機との間に入れることによって、従来のテレビ受信機について、地上波テレビ放送のチャンネル配置が変更になったとしても、テレビ受信機側でチャンネル配置を再設定すること無く、今までどおり意識せずに従来のテレビ受信機を使用することができる。
【００９６】
さらに、集合住宅などの共同受信を行なう場合においても、本発明の周波数変換装置を共同アンテナ直下に入れ、その出力を増幅・分配することにより対応することができ、各戸のテレビ受信機について、使用者がテレビ受信機のチャンネル配置を再度プリセットを行なうことなく、地上波テレビ放送の視聴を行なうことができ、電機製品の販売店や電機メーカのサービス要員がチャンネル配置の変更に伴う各戸へ訪問し、テレビ受信機のチャンネルの再設定を行なう手間が省かれ、大幅な費用の削減が期待できる。
【図面の簡単な説明】
【図１】本発明に係る一実施形態の周波数変換装置の基本構成を示すブロック図。
【図２】本発明に係る周波数変換装置におけるマイコン制御を示すフローチャート。
【符号の説明】
１  衛星放送用アンテナ
２  衛星放送用チューナ（衛星電波受信手段）
３  ＭＰＥＧデコーダ
４  地上波用アンテナ
５  地上波用チューナ（地上電波受信手段）
６  周波数変換部（周波数変換手段）
７  マイコン（制御手段）
８  メモリ
９  不揮発性メモリ（記憶手段）
１０  メモリカード（記録メディア）
１１  メモリカード用インタフェース部（記録メディア装着手段）
１２  操作部（情報入力手段）
１３  リモコン送信機（リモコン手段）
１４  リモコン受光部（リモコン受光手段）
１５  コンピュータ
１６  コンピュータ接続用インタフェース部（有線接続手段）
１７  周波数変換装置接続用インタフェース部
１８  無線アンテナ
１９  無線アンテナ（無線通信手段）
２０  モジュラジャック
２１  モデム部（データ通信手段）
２２  電話回線（通信回線）
２３  ケーブル
【図１】
2004282202.tif 000003
【図２】
2004282202.tif 000004